(57)【要約】【課題】隣接する照明器具同士間の極端な明暗差の発生を防止または低減して、この極端な明暗差に起因する違和感や不快感を低減または緩和する照明制御装置を提供する。【解決手段】人体の存否を検出する第２人感センサ３ｂと；他の人感センサにより検出された人体検出信号を入力させる人体検出信号入力部３ｄと；第２人感センサ３ｂの人体検出信号に基づいて、１以上の照明器具からなる複数系統の照明器具の出力を制御すると共に、人体検出信号入力部３ｄに入力された他の人体検出信号に基づいて複数系統のうちの少なくとも一系統の照明器具の出力を制御する第２制御部３ｃを有する第２照明制御装置３と；を、具備している。【選択図】  図３
2009231044.tif 000002
【特許請求の範囲】
【請求項１】
人体の存否を検出する人感センサと；
他の人感センサにより検出された人体検出信号を入力させる人体検出信号入力部と；
前記人感センサの人体検出信号に基づいて、１以上の照明器具からなる複数系統の照明器具の出力を制御すると共に、人体検出信号入力部に入力された他の人体検出信号に基づいて前記複数系統のうちの少なくとも一系統の照明器具の出力を制御する制御手段と；
を具備していることを特徴とする照明制御装置。
【請求項２】
制御手段は、一つの人感センサのみの人体検出信号に基づいて照明器具の出力を制御する照明制御信号を出力する第１の照明制御信号出力部と、前記一つの人感センサおよび他の人感センサの人体検出信号に基づいて照明器具の出力を制御する照明制御信号を出力する第２の制御信号出力部と、
を具備していることを特徴とする請求項１記載の照明制御装置。
【発明の詳細な説明】
【技術分野】
【０００１】
本発明は人感センサの人体検出信号に基づいて照明器具の点，消灯等出力を制御する照明制御装置に関する。
【背景技術】
【０００２】
従来、この種の照明装置の一例としては、照明器具本体に人感センサを一体に配設し、この人感センサにより人体の存在を検出したときに、照明器具を点灯させる一方、人体の不存在を検出したときに、照明器具を消灯させる照明装置が知られている（例えば、特許文献１参照）。
【特許文献１】特開２００１−１５２７４号公報
【発明の開示】
【発明が解決しようとする課題】
【０００３】
しかしながら、このような従来の照明装置では、これら複数の照明装置を１つの照明エリアに配設した場合でも、各々の人感センサの人体検出信号に基づいて各々の照明器具の光出力をそれぞれ個別に制御するに過ぎない。
【０００４】
このために、隣接する照明器具の一方が消灯し、他方が点灯すると、極端な明暗差が発生し、点灯中のエリア側に居る人に違和感や不快感を与えるという課題がある。
【０００５】
本発明は、このような事情を考慮してなされたもので、その目的は、隣接する照明器具同士間の極端な明暗差の発生を防止または低減して、この極端な明暗差に起因する違和感や不快感を低減または緩和する照明制御装置を提供することにある。
【課題を解決するための手段】
【０００６】
請求項１に係る照明制御装置は、人体の存否を検出する人感センサと；他の人感センサにより検出された人体検出信号を入力させる人体検出信号入力部と；前記人感センサの人体検出信号に基づいて、１以上の照明器具からなる複数系統の照明器具の出力を制御すると共に、人体検出信号入力部に入力された他の人体検出信号に基づいて前記複数系統のうちの少なくとも一系統の照明器具の出力を制御する制御手段と；を具備していることを特徴とする。
【０００７】
１以上の照明器具からなる複数系統の照明器具とは、例えば一括して点・消灯可能な一つのグループをいう。
【０００８】
請求項２に係る照明制御装置は、制御手段は、一つの人感センサのみの人体検出信号に基づいて照明器具の出力を制御する照明制御信号を出力する第１の照明制御信号出力部と、前記一つの人感センサおよび他の人感センサの人体検出信号に基づいて照明器具の出力を制御する照明制御信号を出力する第２の制御信号出力部と、を具備していることを特徴とする。
【０００９】
一つの人感センサおよび他の人感センサの人体検出信号に基づいて照明器具の出力を制御するとは、例えば少なくとも一つの人感センサが人を検知していれば点灯し、全ての人感センサが人を検知していないときに消灯するという制御であってもよい。
【発明の効果】
【００１０】
請求項１に係る発明によれば、複数系統の照明器具の光出力を、（自己の）人感センサの人体検出信号に基づいて制御し、複数の系統のうちの少なくとも一系統の照明器具の光出力を、自己の人感センサと他の人感センサの両人体検出信号に基づいて制御することができる。すなわち、１つの人感センサで複数系統の照明器具の出力を制御するとともに、その一部の系統の照明器具については他の人感センサの検知状態を考慮して制御することができる。
【００１１】
請求項２の発明によれば、第１，第２の照明制御信号出力部を２系統の照明器具にそれぞれ配線することにより、これら系統を決定することができるため、複数の照明系統を設定するための特別の設定器や設定作業を省略することができる。
【発明を実施するための最良の形態】
【００１２】
以下、本発明の実施形態を添付図面に基づいて説明する。なお、複数の添付図面中、同一または相当部分には同一符号を付している。
【００１３】
図１は本発明の第１の実施形態に係る照明制御システム１の全体構成を平面的に示す模式図、図２は図１で示す第１照明制御装置２の構成を示すブロック図、図３は図１で示す第２照明制御装置３の構成を示すブロック図である。なお、第１照明制御装置２、第３照明制御装置３はそれぞれ人感センサを具備している。
【００１４】
図１に示すように、照明制御システム１は、第１照明制御装置２と第２照明制御装置３とを具備している。第１照明制御装置２は図中一点鎖線で示す第１照明エリアＡに設置され、第２照明制御装置３は図中実線で示す照明エリアＢに設置されている。
【００１５】
第１照明エリアＡは、複数の照明器具４，４，４，…を有し、これら照明器具４，４，４，…を１系統Ａ１にまとめて配線７ａにより第１照明制御装置２に電気的に接続している。
【００１６】
一方、第２照明エリアＢは、複数系統、例えば２系統Ｂ１，Ｂ２の照明器具５，５，５，…、６，６，６，…を有し、これらを配線７ｂ，７ｃによりそれぞれ第２照明制御装置３に電気的に接続している。
【００１７】
これら２系統Ｂ１，Ｂ２の照明器具５，５，…、６，６，…のうち、図１中、中央列のＢ２系統の照明器具６，６，…は、Ａ系統の照明器具４，４，…に隣接する。
【００１８】
図２に示すように照明エリアＡの第１照明制御装置２は、電源部２ａ、第１人感センサ２ｂ、第１制御部２ｃ、人体検出信号出力部２ｄ、照明制御信号出力部２ｅを具備している。
【００１９】
電源部２ａは商用電源線ＡＣ等の給電線に接続され、第１照明制御装置２の内部電源を生成する。
【００２０】
第１人感センサ２ｂは焦電型赤外線センサ等からなり、人体の存否を検出し、人体の存在を検出したときの人体存在検出信号と、人体の存在を検出しなかったときの人体不存在検出信号を第１制御部２ｃに与える。
【００２１】
第１制御部２ｃは、例えばマイクロプロセッサ等から構成され、第１人感センサ２ｂから人体存在検出信号を受信したときに、この人体検出信号出力部２ｄに与える一方、点灯信号を照明制御信号の一種として照明制御信号出力部２ｅに与える。
【００２２】
また、第１制御部２ｃは、第１人感センサ２ｂから人体不存在検出信号を受けたときに、消灯信号を照明制御信号の一種として照明制御信号出力部２ｅに与える。
【００２３】
照明制御信号出力部２ｅは、その複数の外部端子を配線７ａを介して照明エリアＡの各照明器具４に内蔵された図示しない点灯装置に接続されている。点灯装置は、点灯信号を受けたときに、各照明装置４を点灯させる一方、消灯信号を受けたときに、各照明装置４を消灯させるようになっている。
【００２４】
人体検出信号出力部２ｄは、図３で示す第２照明制御装置３の人体検出信号入力部３ｄに配線８を介して電気的に接続されている。
【００２５】
図３に示すように第２照明制御装置３は電源部３ａ、第２人感センサ３ｂ、制御手段の一例である第２制御部３ｃ、人体検出信号入力部３ｄ、照明制御信号出力部３ｅを具備している。
【００２６】
電源部３ａは第１照明制御装置２の電源部２ａと同様に商用電源線ＡＣ等の給電線に接続され、第２照明制御装置３の内部電源を生成する。
【００２７】
第２人感センサ２ｂは第１人感センサ２ｂと同様に、例えば焦電型赤外線センサから構成され、人体の存否を検出し、その検出信号を第２制御部に与える。
【００２８】
人体検出信号入力部３ｄは、配線８により第１照明制御装置２の人体検出信号出力部２ｄに接続されており、この人体検出信号出力部２ｄから第１人感センサ２ｂにより検出された人体検出信号を受け、第２制御部３ｃに与える。
【００２９】
第２制御部３ｃは、自己の人感センサである第２人感センサ２ｂから人体存在検出信号を受けたときに、照明エリアＢの全部の照明器具５〜６を点灯させる点灯信号を照明制御信号出力部３ｅに与える。
【００３０】
また、第２制御部３ｃは、自己の人感センサである第２人感センサ３ｂから人体不存在検出信号を受けたときに、人体検出信号入力部３ｄに、他の人感センサである第１人感センサ２ｂから人体存在検出信号が入力されているか否かを検出し、人体存在検出信号が入力されているときに、隣接エリアＢ２のみの隣接照明器具６，６，…を選択的に点灯させる隣接エリア点灯信号を照明制御信号出力部３ｅに与える。
【００３１】
また、第２制御部３ｃは、第２人感センサ３ｂから人体不存在検出信号を受けたときに、人体検出信号入力部３ｄに第１人感センサ２ｂから人体存在検出信号に入力されていないことを検出したときに、照明エリアＢの全部の照明器具５，５，…、６，６，…を消灯させる消灯信号を照明制御信号出力部３ｅに与える。
【００３２】
照明制御信号出力部３ｅは、図１で示す照明エリアＢの一系統Ｂ１の照明器具５，５，…に、点灯信号と消灯信号をそれぞれ出力する第１の制御信号出力部としてのＢ１系出力端子３ｆと、隣接エリア点灯信号を出力する第２の制御信号出力部としての隣接エリア出力端子３ｇの２端子を有する。Ｂ１系出力端子３ｆは照明エリアＢのＢ１系統全部の照明器具５，５，…の図示しない点灯装置に、配線７ｂにより接続されている。また、隣接エリア出力端子３ｇは照明エリアＢのＢ２系統の隣接照明器具６，６，…のみに配線７ｃにより接続されている。
【００３３】
したがって、この照明制御システム１によれば、第１，第２人感センサ２ｂ，３ｂが共に人体の存在を検出したときは、第１，第２照明器具４，４…、５，５…、６，６…をそれぞれ個別に点灯させることができる。また、第１，第２人感センサ２ｂ，３ｂが共に人体の存在を検出しなかったときは、第１，第２照明器具４，４…、５，５…、６，６…をそれぞれ個別に消灯させることができる。
【００３４】
さらに、照明エリアＢの照明器具５，５…、６，６…のうち、照明エリアＡの照明器具４，４…に隣接する隣接照明器具６，６…については、第２人感センサ３ｂが人体の存在を検出していないときでも、隣の（すなわち、他の）第１人感センサ２ｂが人体の存在を検出しているときは、選択的に点灯させることができる。
【００３５】
このために、照明エリアＡの第１照明器具４，４…が点灯する一方、照明エリアＢの第２照明器具５，５…、６，６…が消灯する場合は、照明エリアＡの第１照明器具４，４…に隣接する隣接照明器具６，６…が点灯する。この隣接照明器具６，６…は、照明エリアＡの照明器具４，４…により点灯されて明るい照明エリアＡと、第２照明器具５，５…、６，６…により消灯されて暗い照明エリアＢと、のいわば中間（または境界部）に位置するので、これら隣接する照明エリアＡ，Ｂ同士の極端な明暗差を低減し緩和することができる。このために、隣接する照明エリア同士の極端な明暗差に起因する不快感や違和感を緩和させることができる。
【００３６】
また、照明エリアＢの第２照明器具５，５…、６，６…のうち、照明エリアＡの第１照明器具４，４…に隣接する隣接照明器具６，６…に制御信号を出力する照明制御信号出力部３ｅに隣接エリア出力端子３ｇを具備しているので、この隣接エリア出力端子３ｇに隣接照明器具６，６，…を配線７ｃにより接続することにより、隣接エリアＢ２系、すなわち、隣接照明器具６，６，…を簡単に設定することができる。このために、照明エリアＢの複数の系統Ｂ１，Ｂ２を設定するための特別の設定器や、その設定作業を省略することができる。なお、図２で示す第１照明制御装置２に、図３で示す第２照明制御装置３の人体検出信号入力部３ｄを設け、あるいは図３で示す第２照明制御装置３に、図２で示す第１照明制御装置２の人体検出信号出力部２ｄを設けることにより、これら第１，第２照明制御装置２，３の構成を同一とし、必要な部分のみ配線するように構成してもよい。これによれば、照明制御装置２，３の機種の増加を抑制できる。
【００３７】
図４は本発明の第２の実施形態に係る照明制御システム１１の構成を一部省略して示すブロック図である。
【００３８】
この照明制御システム１１は、前記第１の実施形態に係る照明制御システム１の複数の人感センサ２ｂ，３ｂ，…や照明器具５〜８等を伝送信号線１３を介して中央制御装置１２に接続し、これら複数の照明エリアの照明器具５〜８の点，消灯制御を含む照明制御を、中央制御装置１２により集中的に行う点に主な特徴を有する。
【００３９】
すなわち、照明制御システム１１は、中央制御装置１２に、伝送信号線１３を介して複数の制御端末器１４，１５，…と、複数の監視端末器１６，１７，…をそれぞれ電気的に接続している。
【００４０】
制御端末器１４，１５，…は、照明エリアＧ１，Ｇ２，…をそれぞれ構成する複数の照明器具１８，１８，…に配線を介してそれぞれ電気的に接続されている。また、隣り合う照明エリア、例えばＧ１，Ｇ２では、隣の照明エリアに隣接する１以上の隣接照明器具１８ｘが設定されている。
【００４１】
各照明器具１８は、例えば蛍光ランプ等の光源と、この光源の点，消灯制御や調光を行う点灯装置を照明器具本体に配設しており、各制御端末器１４，１５，…からの点，消灯制御信号や調光信号等の照明制御信号を受けて、蛍光ランプ等光源の点，消灯制御と調光を行うようになっている。
【００４２】
監視端末器１６，１７，…は、前記図２，図３で示す人感センサ２ｂ，３ｂと同様の焦電型赤外線センサ等からなる人感センサＡ，Ｂ、図示しない照度センサおよび壁スイッチ等をそれぞれ具備しており、各照明エリアＧ１，Ｇ２，…毎に配設されている。
【００４３】
各監視端末器１６，１７，…の人感センサＡ，Ｂ，…は、各照明エリアＧ１，Ｇ２，…により照明される各照明エリア内で人体の存否を検出し、人体の存在を検出したときの人体存在検出信号と、人体の存在を検出しなかったときの人体不存在検出信号を各監視端末器１６，１７，…から伝送信号線１３を介して中央制御装置１２に伝送する。
【００４４】
中央制御装置１２は、各制御端末器１４，１５，…と、各監視端末器１６，１７，…にアドレスをそれぞれ付与しており、各照明エリアＧ１，Ｇ２，…とその照明エリア、これら照明エリアの中で隣接する１以上の隣接照明器具１８ｘをそれぞれ設定する図示しない設定器を具備している。
【００４５】
また、中央制御装置１２は、監視端末器１６，１７，…の人感センサから人体存否検出信号を受信したときに、この人体存否検出信号がどこの照明エリアＧ１，Ｇ２，…に属するかと、隣接照明器具９ｘであるか否かを、その受信した監視端末器１６，１７，…のアドレスに基づいて判断する。
【００４６】
さらに、中央制御装置１２は、その受信した人体存否検出信号が人体存在検出名信号であると判断したときに、点灯信号を、その人体存在検出信号を送信した監視端末器１６，１７，…が属する照明エリアＧ１，Ｇ２，…の制御端末器１４，１５，…に伝送信号線１３を介して送信する。
【００４７】
また、中央制御装置１２は、その受信した人体存否信号が人体不存在検出信号であると判断したときに、消灯信号を、その人体不存在検出信号を送信した監視端末器１６，１７，…が属する照明エリアＧ１，Ｇ２，…の制御端末器１４，１５，…に伝送信号線１３を介して送信する。
【００４８】
さらに、中央制御装置１２は、ここで受信した人体存否検出信号の送信元が隣接照明器具１８ｘを具備した照明エリアＧ１であると判断した場合であって、この隣接照明器具１８ｘを点灯させるときは、隣り合う照明エリアＧ１，Ｇ２，…の監視端末器１６，１７，…の２つの人感センサＡ，Ｂの両人体存在検出信号に基づいてＯＲ制御を行い、消灯させるときはＡＮＤ制御を行う。
【００４９】
すなわち、中央制御装置１２は、隣り合う照明エリアＧ１，Ｇ２の２つの人感センサＡ，Ｂの両者が共に人体の存在を検出しなかったときに、隣接照明器具１８ｘを消灯させる消灯制御信号を制御端末器１４に送信する（ＡＮＤ制御）。
【００５０】
一方、中央制御装置１２は、隣り合う照明エリアＧ１，Ｇ２の２つの人感センサＡ，Ｂのいずれか一方が人体の存在を検出しているときは、隣接照明器具１８ｘを点灯させるための点灯制御信号を制御端末器１５に送信する（ＯＲ制御）。
【００５１】
このために、隣り合う照明エリアＧ１，Ｇ２，…の一方、Ｇ１において、人感センサＡが人体の存在を検出しない場合でも、他方の照明エリアＧ２の人感センサＢが人体の存在を検出したときには、この他方の照明エリアＧ２に隣接する一方の照明エリアＧ１の隣接照明器具１８ｘのみを選択的に点灯させることができる。
【００５２】
このために、隣り合う照明エリアＧ１，Ｇ２の一方、例えばＧ１が消灯状態でも、他方、例えばＧ２が点灯状態であるときは、これら両グループＧ１，Ｇ２の中間に位置する隣接照明器具１８ｘが点灯するので、隣り合う照明エリアＧ１，Ｇ２間の極端な明暗差を低減することができる。
【００５３】
このために、隣り合う照明エリアＧ１，Ｇ２間の極端な明暗差に伴う違和感や不快感を低減することができる。
【００５４】
また、照明エリアＧ１，Ｇ２，…と隣接照明器具１８ｘの設定は、配線によらずに、中央制御装置１２により集中的に設定することができるので、照明エリアや照明器具１８が多数の場合には、その照明エリアや隣接照明器具１８ｘの設定が容易になる。この容易性は照明エリアＧ１，Ｇ２，…と照明器具１８の設置数が増大するに連れて向上する。
【００５５】
なお、前記各実施形態では、照明器具５，４，１８の図示しない点灯装置に、点，消灯や調光等の制御信号を与えて、これら照明器具５，４，１８の点，消灯を制御する場合について説明したが、本発明はこれに限定されるものではなく、例えば照明器具５，４，１８に給電される点灯用電力の給電とその停止を、直接制御することにより、その点，消灯や調光を制御するように構成してもよい。これは光源がＬＥＤ（発光ダイオード）の場合に可能である。
【００５６】
また、前記実施形態では、隣接照明器具１８ｘを単に点灯させる制御を行う場合について説明したが、この隣接照明器具１８ｘを点灯させる場合は、その明るさを、点灯される照明エリアＧ２の照明器具１８の明るさよりも所定量減光させるように調光してもよい。これによれば、その減光の分、節電することができるうえに、消灯中の暗い照明エリアと点灯中の明るい照明エリアとの間に、その中間の明るさの照明エリア（隣接エリア）を介在させるので、極端な明暗差に伴う違和感と不快感をさらに低減することができる。
【図面の簡単な説明】
【００５７】
【図１】本発明の第１の実施形態に係る照明制御装置の平面的模式図。
【図２】図１で示す第１人感センサ装置の構成を示すブロック図。
【図３】図１で示す第２人感センサ装置の構成を示すブロック図。
【図４】本発明の第２の実施形態に係る照明制御システムの構成図。
【符号の説明】
【００５８】
２…照明制御装置、２ｃ…第１制御部、３…第２照明制御装置、３ｃ…第２制御部（制御手段）、３ｄ…人体検出信号入力部、３ｆ…Ｂ１系統出力端子、３ｇ…隣接エリア出力端子、４，５…照明器具、６，１８ｘ…隣接照明器具。
【図１】
2009231044.tif 000003
【図２】
2009231044.tif 000004
【図３】
2009231044.tif 000005
【図４】
2009231044.tif 000006